(57)【要約】【課題】撮影に関する設定を容易に変更することができる撮像装置を提供する。【解決手段】デジタルカメラ１００は、表示面１０３ａの向きを正面側及び背面側のいずれかに変更可能なモニター１０３を備え、自分撮りモードが設定され、且つ表示面１０３ａの向きが正面側である場合、モニター１０３は撮影済み画像のレビュー画像を表示面１０３ａに表示し、レビュー画像が表示面１０３ａに表示されているときに、撮影設定のパラメータの変更を受け付けると、モニター１０３は、変更後のパラメータに基づいて画像処理の施された新たなレビュー画像を表示面１０３ａに表示する。次回の撮影はレビュー画像の表示中に受け付けた撮影設定のパラメータの変更を反映して行う。【選択図】図４
2019080140.tif 000002
【特許請求の範囲】
【請求項１】
撮影者自身が被写体となるモードに設定可能なモード設定手段と、
少なくとも表示面が被写体側を向く第１の位置と撮影者側を向く第２の位置を含む複数の位置の何れかに位置を変更可能な表示部と、
前記設定手段で撮影者自身が被写体となるモードに設定されており、かつ、前記表示部が前記第１の位置である場合の第１の撮影の直後に、該第１の撮影で得られた画像をレビュー画像として前記表示部に表示し、前記レビュー画像の表示中に行われたパラメータの変更操作に応じて、パラメータの変更操作に対応する画像処理を施して前記レビュー画像を更新して表示するように制御する表示制御手段と、
前記レビュー画像の表示の後の第２の撮影において、前記レビュー画像の表示中に行われたパラメータの変更操作に基づいて撮影設定を変更して前記第２の撮影を行うように制御する制御手段と、
を有することを特徴とする撮像装置。
【請求項２】
前記制御手段は、前記レビュー画像の表示を終了すると、前記レビュー画像の表示中に行われたパラメータの変更操作に基づいて撮影設定を変更するように制御することを特徴とする請求項１に記載の撮像装置。
【請求項３】
前記制御手段は、前記レビュー画像の表示を終了すると、撮像手段で撮像されているライブビュー画像を表示するように制御することを特徴とする請求項１又は２記載の撮像装置。
【請求項４】
前記表示制御手段は、前記表示部が前記第１の位置である場合に前記レビュー画像の表示を開始した後、前記表示部の位置が前記第１の位置から変更されることなく所定時間が経過したことに応じて前記レビュー画像の表示を終了し、前記所定時間の経過の前に前記表示部の位置が前記第２の位置に変更された場合には、前記所定時間が経過しても前記レビュー画像の表示を終了しないように制御することを特徴とする請求項１乃至３のいずれか１項に記載の撮像装置。
【請求項５】
前記表示制御手段は、前記レビュー画像とともに、前記レビュー画像を表示したまま前記表示部を前記第２の位置としてパラメータの変更操作を受け付け可能である旨のガイドを表示するように制御することを特徴とする請求項１乃至４のいずれか１項に記載の撮像装置。
【請求項６】
前記第１の撮影で撮影された画像から人物の顔が検出されない場合は、前記レビュー画像の表示中に前記パラメータの変更操作を受け付けないことを特徴とする請求項１乃至５のいずれか１項に記載の撮像装置。
【請求項７】
前記表示制御手段は、前記第１の撮影の直後の前記レビュー画像の表示中に行われた第１のパラメータの変更操作に応じて、該第１のパラメータの変更操作に対応して明るさを変更する画像処理を施して前記レビュー画像を更新して表示するように制御し、
前記制御手段は、前記第２の撮影において、前記レビュー画像の表示中に行われた前記第１のパラメータの変更操作に基づいて、絞りとシャッタースピートの少なくとも一方を前記第１の撮影の際とは変更して前記第２の撮影を行うように制御することを特徴とする請求項１乃至６のいずれか１項に記載の撮像装置。
【請求項８】
前記表示制御手段は、前記第１の撮影の直後の前記レビュー画像の表示中に行われた第２のパラメータの変更操作に応じて、該第２のパラメータの変更操作に対応する画像処理として、主被写体の範囲の外側に平滑化の処理を施して前記レビュー画像を更新して表示するように制御し、
前記制御手段は、前記第２の撮影において、前記レビュー画像の表示中に行われた前記第２のパラメータの変更操作に基づいて、絞りを前記第１の撮影の際とは変更して前記第２の撮影を行うように制御することを特徴とする請求項１乃至７のいずれか１項に記載の撮像装置。
【請求項９】
前記撮影者自身が被写体となるモードは、自分撮りを行うための撮影モードであり、美肌に関するパラメータを変更可能な撮影モードであることを特徴とする請求項１乃至８のいずれか１項に記載の撮像装置。
【請求項１０】
前記第１の撮影で得られたレビュー画像の表示中に前記第１の撮影で得られたＲＡＷ画像を保持する保持手段を更に有し、
前記表示制御手段は、前記レビュー画像の表示中に行われたパラメータの変更操作に応じて、パラメータの変更操作に対応する画像処理を前記ＲＡＷ画像に対して施して前記レビュー画像を更新して表示するように制御することを特徴とする請求項１乃至９のいずれか１項に記載の撮像装置。
【請求項１１】
撮影者自身が被写体となるモードに設定可能なモード設定ステップと、
少なくとも表示面が被写体側を向く第１の位置と撮影者側を向く第２の位置を含む複数の位置の何れかに位置を変更可能な表示部と、
前記設定ステップで撮影者自身が被写体となるモードに設定されており、かつ、前記表示部が前記第１の位置である場合の第１の撮影の直後に、該第１の撮影で得られた画像をレビュー画像として前記表示部に表示し、前記レビュー画像の表示中に行われたパラメータの変更操作に応じて、パラメータの変更操作に対応する画像処理を施して前記レビュー画像を更新して表示するように制御する表示制御ステップと、
前記レビュー画像の表示の後の第２の撮影において、前記レビュー画像の表示中に行われたパラメータの変更操作に基づいて撮影設定を変更して前記第２の撮影を行うように制御する制御ステップと、
を有することを特徴とする撮像装置の制御方法。
【請求項１２】
コンピュータを、請求項１乃至１０のいずれか１項に記載された撮像装置の各手段として機能させるためのプログラム。
【請求項１３】
コンピュータを、請求項１乃至１０のいずれか１項に記載された撮像装置の各手段として機能させるためのプログラムを格納したコンピュータが読み取り可能な記憶媒体。
【発明の詳細な説明】
【技術分野】
【０００１】
本発明は、撮影画像に画像処理を施す撮像装置、該撮像装置の制御方法、プログラム及び記憶媒体に関する。
【背景技術】
【０００２】
近年、ソーシャルネットワークサービス、所謂、ＳＮＳへの撮影した画像のアップロードが広範囲に行われている。特に、撮影者が該撮影者自身を撮影した画像のアップロードが積極的に行われている。このように、撮影者が該撮影者自身を撮影する行為を「自分撮り」と称するが、自分撮りでは画像における撮影者自身の見栄えを良くするために、撮影時に様々な撮影に関する設定（以下、「撮影設定」という。）を変更し、所望の画像を得ようとする。撮影設定の変更を行い易くするために、撮影済みの画像において撮影者がタッチした箇所から連想される撮影設定に係るパラメータを表示し、撮影者に所望のパラメータを選択させて撮影設定を変更する技術が特許文献１によって提案されている。この技術では、選択されたパラメータが次回の撮影から撮影設定へ反映されるため、撮影者は変更された撮影設定で撮影された画像（以下、「変更後画像」という。）を次回の撮影を行うまで確認することができない。
【０００３】
ところで、デジタルカメラやスマートフォンでは、撮影を待機する状態において被写体を表示面に映し続けるため、該表示面には被写体の動きが結果的に再現される画像が表示される。このような被写体の動きが再現される画像をライブビュー画像と称する。一般に、ライブビュー画像の表示中には選択された所望のパラメータが直ちに撮影設定へ反映されるため、撮影設定を変更する撮影者はライブビュー画像を眺めることにより、直ちに変更後画像を確認することができる。例えば、ライブビュー画像を表示するデジタルカメラを用いて自分撮りを行う際、撮影者はデジタルカメラのレンズを自分に向け且つ表示面も自分に向けることにより、撮影者自身の変更後画像を直ちに確認することができる。なお、このように向きを変更することができる表示面を有する表示部（モニター）をバリアングルモニタと称する。
【先行技術文献】
【特許文献】
【０００４】
【特許文献１】特開２０１７−１１４０１号公報
【発明の概要】
【発明が解決しようとする課題】
【０００５】
しかしながら、通常、デジタルカメラはレンズとは反対側（背面側）に位置する撮影者が保持しやすいように設計されるため、レンズを撮影者に向けつつ当該撮影者がデジタルカメラを保持するのは往々にして困難である。また、デジタルカメラの操作系も、背面側に位置する撮影者が操作しやすいように、背面側に集中して配置される傾向があるため、レンズを撮影者に向けた場合、撮影時に撮影設定を変更するための操作が困難である。
【０００６】
本発明の目的は、撮影に関する設定を容易に変更することができる撮像装置、該撮像装置の制御方法、プログラム及び記憶媒体を提供することにある。
【課題を解決するための手段】
【０００７】
上記目的を達成するために、本発明の撮像装置は、撮影者自身が被写体となるモードに設定可能なモード設定手段と、少なくとも表示面が被写体側を向く第１の位置と撮影者側を向く第２の位置を含む複数の位置の何れかに位置を変更可能な表示部と、前記設定手段で撮影者自身が被写体となるモードに設定されており、かつ、前記表示部が前記第１の位置である場合の第１の撮影の直後に、該第１の撮影で得られた画像をレビュー画像として前記表示部に表示し、前記レビュー画像の表示中に行われたパラメータの変更操作に応じて、パラメータの変更操作に対応する画像処理を施して前記レビュー画像を更新して表示するように制御する表示制御手段と、前記レビュー画像の表示の後の第２の撮影において、前記レビュー画像の表示中に行われたパラメータの変更操作に基づいて撮影設定を変更して前記第２の撮影を行うように制御する制御手段と、を有することを特徴とする。
【発明の効果】
【０００８】
本発明によれば、撮影に関する設定を容易に変更することができる。
【図面の簡単な説明】
【０００９】
【図１】本発明の実施の形態に係る撮像装置としてのデジタルカメラの構成を説明するための図である。
【図２】図１のデジタルカメラの構成を概略的に示すブロック図である。
【図３】本発明の実施の形態に係る撮像装置の制御方法としての撮影設定変更処理を示すフローチャートである。
【図４】本発明の実施の形態に係る撮像装置の制御方法としての撮影設定変更処理を示すフローチャートである。
【図５】自分撮りモードにおける撮影設定のパラメータを選択するためのアイコンを説明するための図である。
【図６】表示面の向きが正面側であるときに示されるガイダンスを説明するための図である。
【図７】図３及び図４の撮影設定変更処理が実行される際の操作を説明するための工程図である。
【発明を実施するための形態】
【００１０】
以下、本発明の実施の形態について図面を参照しながら詳細に説明する。しかしながら、以下の実施の形態に記載されている構成はあくまで例示に過ぎず、本発明の範囲は実施の形態に記載されている構成によって限定されることはない。
【００１１】
図１は、本発明の実施の形態に係る撮像装置としてのデジタルカメラの構成を説明するための図であり、図１（Ａ）はデジタルカメラを被写体側から眺めた場合を示し、図１（Ｂ）はデジタルカメラを被写体とは反対側から眺めた場合を示す。なお、本実施の形態では、以下、デジタルカメラ１００の被写体側を正面側と称し、デジタルカメラ１００の被写体とは反対側を背面側と称する。図１において、デジタルカメラ１００は、略直方体状の本体１０１と、本体１０１の正面側に配置される撮影レンズ１０２と、本体１０１の背面側に配置されるバリアングルモニタであるモニター１０３（表示手段）とを備える。モニター１０３は、液晶画面からなる表示面１０３ａを有し、表示面１０３ａへ撮影された画像を映し出す。特に、撮影を待機する状態において、モニター１０３は被写体を映し続けるライブビュー表示を行う。さらに、モニター１０３は、デジタルカメラ１００の本体に対して起立自在且つ回転自在に取り付けられ、表示面１０３ａの向きを正面側や背面側へ自在に変更することができる。
【００１２】
また、デジタルカメラ１００は、撮影の指示を入力するためのシャッターボタン１０４と、各種の撮影モードを選択するためのロータリースイッチであるモード切替スイッチ１０５とを備える。シャッターボタン１０４及びモード切替スイッチ１０５は、撮影者が本体１０１を一方の手で保持した際に他方の手で操作しやすいように、いずれも本体１０１の上部の肩部に設けられる。さらに、デジタルカメラ１００は、操作部１０６と十字キーを有するコントローラーホイール１０７を備える。操作部１０６及びコントローラーホイール１０７はいずれも本体１０１の背面側に配置され、操作部１０６は撮影者からの操作を受け付ける各種スイッチ、ボタンやタッチパネルによって構成される。コントローラーホイール１０７は回転操作を受け付ける。デジタルカメラ１００において、撮影者は、操作部１０６やコントローラーホイール１０７を用いて各撮影モードにおける撮影設定のパラメータを変更する。例えば、自分撮りモードでは、撮影者が操作部１０６やコントローラーホイール１０７を用い、美肌加工の強弱、顔画像の明暗、背景ぼかしの強弱を設定変更する。
【００１３】
図２は、図１のデジタルカメラの構成を概略的に示すブロック図である。図２において、デジタルカメラ１００は、撮影レンズ１０２、操作部１０６、コントローラーホイール１０７、シャッター１０８、撮像部１０９、Ａ／Ｄ変換器１１０、バリア１１１、画像処理部１１２及びメモリ制御部１１３有する。また、デジタルカメラ１００は、システム制御部１１４（制御手段）、メモリ１１５、Ｄ／Ａ変換器１１６、不揮発性メモリ１１７、システムメモリ１１８及びシステムタイマー１１９を有する。さらに、デジタルカメラ１００は、電源スイッチ１２３、電源制御部１２４、電源部１２５及び記録媒体Ｉ／Ｆ１２６を有する。
【００１４】
撮影レンズ１０２はズームレンズやフォーカスレンズを含むレンズ群からなる。シャッター１０８は絞り機能を備えるシャッターである。撮像部１０９は、撮影レンズ１０２を通して取得された被写体の光学像をアナログ信号からなる電気信号に変換するＣＣＤやＣＭＯＳ素子等で構成される撮像素子である。Ａ／Ｄ変換器１１０は、撮像部１０９が出力するアナログ信号をデジタル信号に変換する。バリア１１１は撮影レンズ１０２を含む撮像系を覆うように配置される。これにより、バリア１１１は、撮影レンズ１０２、シャッター１０８や撮像部１０９を含む撮像系を汚れや破損から守ることができる。画像処理部１１２は、Ａ／Ｄ変換器１１０が出力する画像データやメモリ制御部１１３が出力する画像データに対して画素補間や縮小等のリサイズ処理や色変換処理を施す。また、画像処理部１１２は画像データを用いて所定の演算処理を行い、システム制御部１１４は得られた演算結果に基づいて露光制御や測距制御を行う。これにより、ＴＴＬ（スルー・ザ・レンズ）方式のＡＦ（オートフォーカス）処理、ＡＥ（自動露出）処理やＥＦ（フラッシュプリ発光）処理を行うことができる。さらに、画像処理部１１２は、撮像した画像データを用いて所定の演算処理を行い、得られた演算結果に基づいてＴＴＬ方式のＡＷＢ（オートホワイトバランス）処理も行う。
【００１５】
Ａ／Ｄ変換器１１０が出力する画像データは、画像処理部１１２やメモリ制御部１１３、又はメモリ制御部１１３のみを介してメモリ１１５に直接書き込まれる。メモリ１１５は、撮像部１０９が取得してＡ／Ｄ変換器１１０がデジタル信号に変換した画像データや、モニター１０３の表示面１０３ａに表示するための画像データを格納する。メモリ１１５は、所定枚数の静止画像や所定再生時間の動画像及び音声を格納するために十分な記憶容量を有する。また、メモリ１１５は画像表示用のメモリ（ビデオメモリ）を兼ねる。Ｄ／Ａ変換器１１６は、メモリ１１５に格納されている画像データをアナログ信号に変換してモニター１０３に供給する。これにより、メモリ１１５に書き込まれた画像データはＤ／Ａ変換器１１６を介してモニター１０３によって表示される。モニター１０３は表示面１０３ａにＤ／Ａ変換器１１６から出力されたアナログ信号に応じて画像を表示する。また、デジタルカメラ１００では、Ａ／Ｄ変換器１１０によって一度Ａ／Ｄ変換されてメモリ１１５に蓄積されたデジタル信号を、Ｄ／Ａ変換器１１６においてアナログ変換してモニター１０３に逐次転送することにより、ライブビュー画像の表示が行われる。
【００１６】
不揮発性メモリ１１７は電気的にデータを消去・記録可能なメモリであり、例えば、ＥＥＰＲＯＭ等からなる。不揮発性メモリ１１７には、システム制御部１１４の動作用の定数や後述する各処理を実行するためのプログラム等が格納される。システム制御部１１４はデジタルカメラ１００全体の動作を制御し、不揮発性メモリ１１７に格納されたプログラムを実行することにより、後述する各処理を実行する。また、システム制御部１１４はメモリ１１５、Ｄ／Ａ変換器１１６やモニター１０３の動作を制御することによって表示制御も実現する。 システムメモリ１１８はＲＡＭであり、システム制御部１１４の動作用の定数、変数や不揮発性メモリ１１７から読み出されたプログラム等が展開される。システムタイマー１１９は各種制御を実行する際の実行時間や内蔵された時計の時間を計測する計時部からなる。
【００１７】
シャッターボタン１０４、モード切替スイッチ１０５、操作部１０６、コントローラーホイール１０７はシステム制御部１１４に各種の動作指示を入力するための操作手段として機能する。モード切替スイッチ１０５は、撮影者の操作に応じてデジタルカメラ１００の撮影モードを静止画記録モード、動画記録モード及び再生モードのいずれかに切り替える。静止画記録モードは、オート撮影モード、オートシーン判別モード、マニュアルモード、撮影シーン別の撮影設定となる各種シーンモード、プログラムＡＥモードやカスタムモードを含む。さらに、静止画記録モードは自分撮りモードも含む。したがって、撮影者はモード切替スイッチ１０５を回転させて自分撮りモードを選択し、デジタルカメラ１００に対して自分撮りモードを設定することができる。なお、各種シーンモードは、風景撮影モード、水中撮影モードや夜景撮影モードを含み、カスタムモードは絞り優先撮影モードやシャッター速度優先撮影モードを含む。デジタルカメラ１００では、撮影者に、モード切替スイッチ１０５を回転させて静止画記録モードをまず選択させた後、他の操作部を用いて自分撮りモードを選択させるように構成してもよい。また、動画記録モードが、静止画記録モードと同様に、複数の撮影モードを含んでいてもよい。なお、モニター１０３の向き（位置）が、表示面１０３ａが背面側を向く通常位置から、正面側（被写体側）を向く対面位置へ変化したことを検知したことに応じて、自動的に自分撮りモードが設定されても良い。
【００１８】
シャッターボタン１０４は第１シャッタースイッチ１２０及び第２シャッタースイッチ１２１を有する。第１シャッタースイッチ１２０は、シャッターボタン１０４の押下の途中、所謂、半押し状態でオンとなってシャッタースイッチ信号ＳＷ１を発生する。デジタルカメラ１００では、シャッタースイッチ信号ＳＷ１の発生に応じて、ＡＦ処理、ＡＥ処理、ＡＷＢ（オートホワイトバランス）処理やＥＦ処理等が開始される。 第２シャッタースイッチ１２１は、シャッターボタン１０４の操作完了、所謂、全押し状態でオンとなり、シャッタースイッチ信号ＳＷ２を発生する。システム制御部１１４は、シャッタースイッチ信号ＳＷ２の発生に応じて、撮像部１０９での電気信号の取得から記録媒体１２２への画像データの書き込みまでの一連の工程からなる撮影処理を開始する。
【００１９】
操作部１０６に含まれる各種操作部材は、表示面１０３ａに表示される種々の機能アイコンを選択操作すること等により、適宜機能が割り当てられ、当該機能の実行に関わる操作部材（機能ボタン）として作動する。機能ボタンの例としては、例えば、終了ボタン、戻るボタン、画像送りボタン、ジャンプボタン、絞込みボタン、属性変更ボタン等が存在する。操作部１０６には、各種押しボタン、回転ダイヤル（回転操作部材）であるコントローラーホイール１０７、コントローラーホイール１０７の内側に設けられた上下左右への操作が可能な方向キー（十字ボタン、十字キー）が含まれる。さらに、操作部１０６には、方向キーの中央に設けられたセットボタン（押しボタンの１つ）が含まれる。
【００２０】
デジタルカメラ１００では、背面側に配置されたメニューボタンが押下されると、各種設定を行うためのメニュー画面が表示面１０３ａに表示される。撮影者は当該メニュー画面と操作部１０６の各ボタンを用いて直感的に各種設定を行うことができる。また、操作部１０６に含まれるＦＵＮＣボタンが押下されると、ＦＵＮＣメニューの画面が表示面１０３ａのライブビュー画像に重畳して表示され、撮影者はＦＵＮＣメニューと操作部１０６の各ボタンを用いて露出設定やセルフタイマー設定を行うことができる。 
【００２１】
電源制御部１２４は、電池検出回路、ＤＣ−ＤＣコンバータやスイッチ回路等によって構成され、デジタルカメラ１００への電池の装着の有無、装着された電池の種類や電池残量の検出を行う。また、電源制御部１２４は、その検出結果やシステム制御部１１４の指示に基づいてＤＣ−ＤＣコンバータを制御し、必要な電圧を必要な期間に亘り、記録媒体１２２を含む各部へ供給する。 電源部１２５は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１２６は記録媒体１２２とのインターフェースである。記録媒体１２２は、メモリカードやハードディスク等の脱着可能な記録媒体であり、半導体メモリや磁気ディスク等から構成され、画像データを格納する。
【００２２】
自分撮りモードでは、人物を見栄えを良くすることが重要視されるため、人物に見栄えを良くするための撮影設定の項目として、例えば、「背景ぼかし」、「明るさ」や「美肌」が設けられる。
【００２３】
「背景ぼかし」では、設定可能なパラメータ（設定値の候補）として「する」のオート、「する」の１〜５段階、「しない」の計７つの選択肢のいずれかを選択して設定可能である。「背景ぼかし」の設定として「する」のいずれが設定されると、背景ぼかしの設定以外が同じ撮影状況で、「しない」に設定された場合よりも解放絞り値（Ｆ値）が開く（Ｆ値が小さくなる、被写界深度が浅くなる）設定となる。また、「する」のなかでも、高い段階の設定値ほど絞り値が開かれる。これによって、撮影された画像においてピントの合った主被写体以外がぼけて写り、主被写体が浮かび上がる効果が得られる。さらに、「背景ぼかし」を「する」の設定とした場合に、絞り値をこれ以上開くと露出オーバーになってしまう、デジタルカメラ１００の開放絞り値を超える等の理由で設定値に対応する絞り値まで開けない場合は、次の連続撮影と画像処理による背景ぼかし処理も組み合わせて施される。続撮影と画像処理による背景ぼかし処理では、１回の撮影指示（シャッターボタン６１の全押し）に応じて、主被写体に合焦して撮影された画像、および背景に合焦して撮影された画像の２枚の画像の連続撮影を行う。そして撮像された２枚の画像のそれぞれからエッジを検出し、鮮鋭度の差分によって主被写体領域、背景領域を判定する。続いて、画像処理部１１２での平滑化フィルタリング処理を行うか否かを切り替えながら、主被写体に合焦して撮影された画像からぼかし画像を生成する。そして、主被写体に合焦して撮影された画像から主被写体領域を切り出してぼかし画像に合成することで、背景がボケて主被写体にはピントがあっている背景ぼかし画像を生成し、この背景ぼかし画像１枚のみを前述の撮影指示によって撮影された画像の画像ファイルとして記録する。なお、「背景ぼかし」を「する」の「オート」か、「する」の５段階目に設定された場合は、連続撮影と画像処理による背景ぼかし処理が行われるものとする。
【００２４】
「明るさ」では、パラメータとしてＥＶ値の補正値（露出補正値）が−１ＥＶ〜＋１ＥＶの間において１／３段刻みで選択可能であり、選択されたパラメータ（露出補正値）に応じて画像の明るさが決定される。
【００２５】
「美肌」では、パラメータとして「切」、「強」、「中」、「弱」が選択可能であり、選択されたパラメータに応じて、画像中の人物の肌のしわや荒れを目立たなくする平滑化と色味を調整する画像処理である美肌加工の程度（強さ）が決定される。これらのパラメータは、操作部１０６やコントローラーホイール１０７を操作することによって選択することができる。
【００２６】
ところで、デジタルカメラ１００において、撮影者が自分撮りを行う際、撮影者は撮影レンズ１０２を自分に向け且つモニター１０３の表示面１０３ａも自分に向けることにより、ライブビュー表示される自分の画像を確認する。このとき、自分撮りに関連する撮影設定の所望のパラメータを選択しようとしても、操作部１０６やコントローラーホイール１０７は本体１０１の背面側に配置されているため、正面側に位置する撮影者からは操作が困難である。また、例え、表示面１０３ａにタッチパネルが設けられ、タッチパネルを操作することによって撮影設定のパラメータを選択することができたとしても、撮影者が本体１０１の正面側に位置しながらデジタルカメラ１００を安定して保持するのは困難である。その結果、デジタルカメラ１００において、自分撮りに関連する撮影設定のパラメータを選択するための操作を安定して行うことができず、自分撮りに関連する撮影設定を容易に変更することができないという問題が生じる。本実施の形態では、これに対応して、撮影者が本体１０１の背面側に位置しても、自分の画像を確認しながら自分撮りに関連する撮影設定のパラメータを調整することができるデジタルカメラ１００を提供する。
【００２７】
次に、本発明の実施の形態に係る撮像装置の制御方法について説明する。図３及び図４は、本実施の形態に係る撮像装置の制御方法としての撮影設定変更処理を示すフローチャートである。図３及び図４のフローチャートにおける各工程は、システム制御部１１４が不揮発性メモリ１１７に格納されたプログラムをシステムメモリ１１８に展開して実行することによって実現される。
【００２８】
まず、デジタルカメラ１００が不図示のボタンや電源スイッチ１２３の撮影者による押下等によって被写体の画像を撮影する撮影モードに移行した際に、図３及び図４の撮影設定変更処理が開始される。
【００２９】
Ｓ３０１において、システム制御部１１４は、電源スイッチ１２３を介して電源オフの指示がなされたか否かを判別し、電源オフの指示がなされた場合には本処理を終了する。電源オフの指示がなされていない場合には、Ｓ３０２に進む。
【００３０】
Ｓ３０２において、システム制御部１１４は、モニター１０３へ、撮像部１０９でライブビュー撮影を開始し、撮像された画像のライブビュー表示を開始する。なお、表示面１０３ａの向きが正面側である場合、表示面１０３ａのライブビュー画像はミラー反転して表示される。
【００３１】
Ｓ３０３において、システム制御部１１４は、不揮発性メモリ１１７に記録されている現在の撮影モード又はモード切替スイッチ１０５で選択されている撮影モードに基づいて、現在の撮影モードが自分撮りモードであるか否かを判別する。現在の撮影モードが自分撮りモードである場合、Ｓ３０４に進む。そうでない場合、例えば、オート撮影モード、オートシーン判別モード、マニュアルモード、撮影シーン別の撮影設定となる各種シーンモード、プログラムＡＥモードやカスタムモードである場合、Ｓ３０７に進む。なお、本処理では、Ｓ３０３の判別に代えてモニター１０３の表示面１０３ａの向きが正面側か背面側かを判別してもよく、この場合、表示面１０３ａの向きが正面側であれば、Ｓ３０４に進む。さらには、Ｓ３０３の判別に加えて表示面１０３ａの向きが正面側か背面側かを判別してもよく、この場合、現在の撮影モードが自分撮りモードであり、且つ表示面１０３ａの向きが正面側であるときにＳ３０４に進む。
【００３２】
Ｓ３０４において、システム制御部１１４は、モニター１０３の表示面１０３ａに自分撮りモード用のＵＩ画面を表示させる。このとき、表示面１０３ａでは、ライブビュー画像へ、撮影モードを示す撮影モードアイコンや残り撮影可能枚数等に加え、自分撮りに関連する撮影設定の項目である「背景ぼかし」、「明るさ」や「美肌」のアイコンが重畳されて表示される。撮影設定「背景ぼかし」、「明るさ」や「美肌」のアイコンは、それぞれ現在設定されているパラメータを示す。このとき、操作部１０６等の操作によって各項目に対応するアイコンが選択されると、表示面１０３ａに表示される画像が、選択されたアイコンに対応する撮影設定のパラメータを選択して変更するための画像に移行する。具体的に、撮影設定「背景ぼかし」が選択されたときには、選択可能なパラメータである「する」、「しない」を含むアイコン５０１（受付手段）が表示面１０３ａに表示される（図５（Ａ））。「する」を選択した場合は、続いて、オート、１〜５段階のうち何れの設定とするかの選択肢が表示される。撮影設定「明るさ」が選択されたときには、パラメータを選択するための範囲が−１ＥＶ〜＋１ＥＶのＥＶ値のスライドバーを含むアイコン５０２（受付手段）が表示面１０３ａに表示される（図５（Ｂ））。撮影設定「美肌」が選択されたときには、選択可能なパラメータである「切」、「中」、「弱」、「強」を含むアイコン５０３（受付手段）が表示面１０３ａに表示される（図５（Ｃ））。
【００３３】
Ｓ３０５では、システム制御部１１４が、操作部１０６の操作によって撮影設定の各項目のいずれかにおいてパラメータの変更がなされたか否かを判別する。具体的には、表示されている自分撮りモード用のＵＩのうち、方向キーの操作によって「背景ぼかし」、「明るさ」、「美肌」のいずれかが選択されてセットボタンが押下され、その後、コントローラーホール１０７の回転または方向キーの操作によって選択した項目の設定値が変更される操作があったか否かを判定する。なお、ユーザー操作により一度自分撮りモード用のＵＩを非表示としてライブビュー画像のみの表示とした場合にも、コントローラーホイール１０７の回転操作に応じて、「背景ぼかし」、「明るさ」、「美肌」のうち、最後に選択された項目のパラメータを変更し、変更されたパラメータをライブビュー画像とともに表示するようにしてもよい。パラメータ（設定値）の変更操作がなされていない場合はＳ３０７に進み、パラメータの変更操作がなされた場合はＳ３０６に進む。
【００３４】
Ｓ３０６では、システム制御部１１４は変更されたパラメータを現在設定されているパラメータとして不揮発性メモリ１１７に格納して保持する。このとき、システム制御部１１４は、撮像部１０９に変更されたパラメータを反映し、撮影設定の変更後の画像を表示面１０３ａにライブビュー表示する。例えば、撮影設定「明るさ」において「＋１ＥＶ」のＥＶ値がパラメータとして選択されると、絞りの開放、シャッター速度の低下、ＩＳＯ感度の上昇（ゲインの向上）のいずれかの処理を撮像部１０９に指示する。そして、システム制御部１１４は、変更したパラメータを反映したライブビュー画像を表示する。なお、ライブビュー撮影においては、シャッター速度はライブビュー画像の更新タイミングより長くはできないので、シャッター速度が長い場合はゲインを調整して疑似的に設定されているＥＶ値での画像の明るさを再現したライブビュー画像を表示する。これにより、ライブビュー表示において、撮影者は、パラメータの変更が反映されたライブビュー画像を確認することができる。
【００３５】
Ｓ３０７では、システム制御部１１４が、シャッターボタン１０４が半押し状態となってシャッタースイッチ信号ＳＷ１が発生したか否かを判別する。シャッタースイッチ信号ＳＷ１が発生した場合、Ｓ３０８に進み、シャッタースイッチ信号ＳＷ１が発生していない場合、Ｓ３０１に戻る。
【００３６】
Ｓ３０８では、システム制御部１１４が、シャッターボタン１０４が全押し状態となってシャッタースイッチ信号ＳＷ２が発生したか否かを判別する。シャッタースイッチ信号ＳＷ２が発生した場合、Ｓ３０９に進み、シャッタースイッチ信号ＳＷ２が発生していない場合、Ｓ３０１に戻る。
【００３７】
Ｓ３０９では、システム制御部１１４が、本露光を行い、上述した撮像部１０９での電気信号の取得から記録媒体１２２への画像データの書き込みまでの一連の工程からなる撮影処理を実行して被写体の静止画像を取得する。この際の本露光の絞り、シャッター速度、ＩＳＯ感度、ホワイトバランスなどは、前述の自分撮り撮影モードの「背景ぼかし」、「明るさ」、「美肌」の各項目について設定されているパラメータ（設定値）に基づくものとなる。本露光で撮像された画像のＲＡＷ画像データは、メモリ１１５に保持され、現像処理が施される。現像処理では、前述の自分撮りモードの「背景ぼかし」、「明るさ」、「美肌」で設定されたパラメータが反映された現像パラメータを用いた現像が行われる。現像された画像は画像ファイル（例えばＪｐｅｇファイル）として記録媒体１１２に記録される。画像ファイルには、各種属性情報(メタデータ)も記録される。属性情報には、少なくとも撮影時にＡＦを行った位置とＡＦの結果合焦したか否かの情報（総称して合焦情報と称する）が記録される。ＡＦの結果合焦した場合のＡＦを行った位置を合焦位置と称する。また、「背景ぼかし」の設定が「する」となっており、連続撮影と画像処理による背景ぼかし処理を行う場合には、Ｓ３０９では、主被写体にピントを合わせた撮影処理と、背景にピントを合わせた撮影処理の２回以上の撮影（２回以上の本露光）を行う。そして、前述の背景ぼかし処理を行って背景ぼかし画像を記録媒体１２２へ記録する。
【００３８】
Ｓ３１０では、システム制御部１１４は、Ｓ３０９でメモリ１１５に保持した被写体のＲＡＷ画像データを破棄せずに保持継続する。
【００３９】
Ｓ３１１では、現在の撮影モードが自分撮りモードであるか否かを判別する。現在の撮影モードが自分撮りモードでない場合はＳ３１２に進み、現在の撮影モードが自分撮りモードである場合はＳ３１４に進む。
【００４０】
Ｓ３１２では、システム制御部１１４は、モニター１０３において直前に撮影された画像の確認表示（レビュー表示）であるレックレビュー（クイックレビュー）を行う。レックレビューでは、Ｓ３０９で本撮影された画像（静止画）を表示面１０３ａに表示する。また、システムタイマー１１９でレックレビュー表示の自動終了までの時間であるレビュー時間Ｔ１（例えば２秒）の計時を開始する。さらに、Ｓ３１０で保持した、撮影処理で取得されたＲＡＷデータを破棄する。このとき表示されるレビュー画像は、撮影処理で取得されたＲＡＷデータへ現在設定されている撮影設定の各項目のパラメータに基づいて対応する処理が施されて現像された画像である。なお、Ｓ３１２において、システム制御部１１４は、Ｓ３０４と異なり、表示面１０３ａに自分撮りモード用のＵＩ画面を表示させない。従ってＳ３１２では、自分撮りモードの設定項目（背景ぼかし、明るさ、美肌など）のパラメータは調整できない。
【００４１】
Ｓ３１３では、システム制御部１１４は、レビュー時間が経過してタイムアウトになったか否か、若しくは、シャッターボタン１０４が半押し状態となってシャッタースイッチ信号ＳＷ１が再度発生したか否かを判別する。タイムアウトになった場合、又はシャッタースイッチ信号ＳＷ１が再度発生した場合、Ｓ３０１に戻り、タイムアウトになっていない場合であり、且つシャッタースイッチ信号ＳＷ１も発生していない場合、Ｓ３１３を繰り返す（レビュー表示を継続する）。
【００４２】
一方、Ｓ３１４（Ｓ３１１で現在の撮影モードが自分撮りモードであると判定した場合）では、システム制御部１１４は、モニター１０３の表示面１０３ａの向きが正面側（被写体側）であるか否かを判別する。表示面１０３ａの向きが正面側である場合はＳ３１５に進み、そうでない場合はＳ３１２に進む。
【００４３】
Ｓ３１５では、システム制御部１１４は、Ｓ３０９で撮影した画像に対して顔検出処理を行い、人物の顔が含まれているか否かを判別する。人物の顔が含まれている場合（顔検出された場合）はＳ３１６へ進み、そうでない場合はＳ３１２に進む。
【００４４】
Ｓ３１６では、システム制御部１１４は、モニター１０３において直前に撮影された画像の確認表示（レビュー表示）であるレックレビュー（クイックレビュー）を行う。また、システムタイマー１１９でレックレビュー表示の自動終了までの時間であるレビュー時間Ｔ２（例えば１０秒）の計時を開始する。なお、Ｓ３１６でのレビュー時間Ｔ２は、Ｓ３１２のレビュー時間Ｔ１よりも長いものとする。このとき表示されるレビュー画像は、撮影処理で取得されたＲＡＷデータへ現在設定されている撮影設定の各項目のパラメータに基づいて対応する処理が施されて現像された画像である。また、Ｓ３１２ではレックレビューが開始されると、Ｓ３１０においてメモリ１１５に保持されたＲＡＷデータは破棄されるが、Ｓ３１６ではレックレビューが開始されても、メモリ１１５に保持されたＲＡＷデータは破棄せずに保持する。
【００４５】
Ｓ３１７では、システム制御部１１４は、表示面１０３ａへ、表示面１０３ａの向きを背面側に変更しても各撮影設定のパラメータの変更を受け付ける旨のガイダンスを表示させる。具体的には、図６に示すように、「モニターを背面位置に戻すと撮影パラメータが調整できます」というガイダンス６０１を表示面１０３ａに表示させる。続いて、図４のＳ４０１へ進む。
【００４６】
図４のＳ４０１では、システム制御部１１４は、表示面１０３ａの向きが背面側に変更されたか否かを判別する。表示面１０３ａの向きが背面側に変更された場合、Ｓ４０４に進み、そうでない場合はＳ４０２に進む。
【００４７】
Ｓ４０２では、システム制御部１１４は、撮影設定の各項目のいずれかにおいてパラメータを変更する操作がなされたか否かを判別する。パラメータの変更操作がなされた場合、Ｓ４０４に進み、そうでない場合はＳ４０３へ進む。
【００４８】
Ｓ４０３では、システム制御部１１４は、レビュー時間Ｔ２が経過してタイムアウトになったか否か、又は、シャッターボタン１０４が半押し状態となってシャッタースイッチ信号ＳＷ１が再度発生したか否かを判別する。タイムアウトになった場合、又はシャッタースイッチ信号ＳＷ１が再度発生した場合、Ｓ３０１に戻り、タイムアウトになっていない場合であり、且つシャッタースイッチ信号ＳＷ１も発生していない場合、Ｓ４０１に戻る。
【００４９】
Ｓ４０４では、システム制御部１１４は、モニター１０３の向きが背面になったことに応じて、レックレビュー表示を維持したまま、表示面１０３ａに自分撮りモード用のＵＩ画面を表示させ、撮影設定「背景ぼかし」、「明るさ」や「美肌」のアイコンをレビュー画像に重畳させて表示する。これにより、撮影者は所望の撮影設定の項目のパラメータを変更できるようになる。なお、自分撮りモード用のＵＩをＳ４０４で表示する例を説明したが、Ｓ３１６で表示するものとしてもよい。また、Ｓ４０４で、レビュー時間の計時を停止する。これによって、レビュー時間Ｔ２の経過に応じて自動的にレックレビューが終了することはなくなり、レックレビューのホールド状態となる。
【００５０】
Ｓ４０５では、システム制御部１１４は、レックレビュー表示が維持された状態で、自分撮り撮影モードでの撮影設定の各項目のいずれかのパラメータの変更操作がなされたか否かを判別する。パラメータの変更操作の方法はＳ３０５で述べたものと同様である。パラメータの変更操作がなされた場合はＳ４０６に進み、そうでない場合はＳ４１３に進む。
【００５１】
Ｓ４０６では、システム制御部１１４は、いずれの撮影設定の項目のパラメータが変更されたのかを判別する。変更されたパラメータが撮影設定「背景ぼかし」のパラメータである場合はＳ４０７に進み、変更されたパラメータが「明るさ」のパラメータである場合はＳ４０８に進み、変更されたパラメータが「美肌」のパラメータである場合はＳ４０９に進む。
【００５２】
Ｓ４０７では「背景ぼかし」について変更操作を反映した変更後のパラメータ（「する」又は「しない」）をシステムメモリ１１８に記憶する。そして、変更後のパラメータ（設定内容）を示すように自分撮りモード用のＵＩの表示を更新する。続くＳ４１０〜Ｓ４１４では、絞りの変更や連続撮影（連写）を伴わない方法で、疑似的にレビュー画像に対して設定後のパラメータを反映する。
【００５３】
Ｓ４０８では、変更後のパラメータ（−１ＥＶ〜＋１ＥＶの範囲におけるＥＶ値）をシステムメモリ１１８に記憶する。そして、変更後のパラメータ（設定内容）を示すように自分撮りモード用のＵＩの表示を更新する。続くＳ４１０〜Ｓ４１４では、シャッター速度と絞り値（実際の露出）の変更を伴わない方法で、疑似的にレビュー画像に対して設定後のパラメータを反映する。
【００５４】
Ｓ４０９では、変更されたパラメータが撮影設定「美肌」のパラメータである場合、変更後のパラメータ（「切」、「中」、「弱」又は「強」）をシステムメモリ１１８に記憶する。そして、変更後のパラメータ（設定内容）を示すように自分撮りモード用のＵＩの表示を更新する。続くＳ４１０〜Ｓ４１４では、疑似的にレビュー画像に対して設定後のパラメータを反映する。
【００５５】
Ｓ４１０では、システム制御部１１４は、メモリ１１５に保持されたＲＡＷデータを読み出す。Ｓ４１１では、システム制御部１１４は、システムメモリ１１８に記憶された変更後のパラメータに基づいてＲＡＷデータを現像して、レビュー表示用の新たな画像を生成する（再現処理）。
【００５６】
Ｓ４１０、Ｓ４１１において、システムメモリ１１８に撮影設定「背景ぼかし」の変更後のパラメータが記憶されている場合、ＲＡＷデータへ変更後のパラメータに基づいて画像処理を施して主被写体以外がぼかされた現像画像を得る。より具体的には、レビュー表示している画像の属性情報として記録された合焦位置に基づいて主被写体の位置を決定し、エッジ検出処理によって主被写体の輪郭範囲を決定する。そして、主被写体の輪郭範囲の外側に平滑化の画像処理を施すことで、主被写体の領域以外である背景をぼかす。こ際の平滑化の度合いを、変更後の「背景ぼかし」のパラメータに基づくものとする。これによって、疑似的に、変更後の「背景ぼかし」のパラメータを設定して撮影した場合と同じようなボケ具合をレビュー画像上で再現する。従って、ユーザーが満足するぼかし具合かどうかをレビュー表示を見て判断できる。なお、レビュー画像の撮影の際に、連続撮影と画像処理による背景ぼかし処理を行っており、主被写体にピントを合わせて撮影した画像と、背景にピントを合わせて撮影した画像の双方がメモリ１１５に残っている場合もある。その場合は、主被写体に合焦して撮影された画像からぼかし画像を生成する際の平滑化フィルタリング処理の度合いを変更されたパラメータに応じたものとし、主被写体領域を切り出してぼかし画像に合成することで新たな背景ぼかし画像を生成し、更新したレビュー画像として表示してもよい。
【００５７】
Ｓ４１０、Ｓ４１１において、システムメモリ１１８に撮影設定「明るさ」の変更後のパラメータが記憶されている場合、ＲＡＷデータへ変更後のパラメータに基づいて画像処理を施して明るさの変更された現像画像を得る。これによって、疑似的に、変更後の「明るさ」のパラメータを設定して撮影した場合と同じような明るさをレビュー画像上で再現する。従って、ユーザーが満足する明るさかどうかをレビュー表示を見て判断できる。なお、露出の変更ではなく、画像処理による明るさの変更（ゲイン調整、コントラスト、シャープネス等の変更を含む）であるため、ノイズ感などは実際に撮影される画像とは異なるものとなる。
【００５８】
Ｓ４１０、Ｓ４１１において、システムメモリ１１８に撮影設定「美肌」の変更後のパラメータが記憶されている場合、ＲＡＷデータへ変更後のパラメータに基づいて美肌効果処理を施して美肌加工された現像画像を得る。これによって、変更後の「美肌」のパラメータを設定して撮影した場合と同じような肌の色味、滑らかさをレビュー画像上で再現する。従って、ユーザーが満足する美肌効果かどうかをレビュー表示を見て判断できる。
【００５９】
Ｓ４１２では、システム制御部１１４は、表示面１０３ａに表示されているレビュー画像をＳ４１１で現像した画像で更新する。また、Ｓ４０５でのパラメータの変更をキャンセルすることを選択するための選択肢と、確定を選択するための選択肢とを表示する。
【００６０】
Ｓ４１３では、システム制御部１１４は、パラメータの変更のキャンセル指示があったか否かを判定する。Ｓ４１２で表示した、パラメータの変更をキャンセルするための選択肢が方向キーの操作によって選択されセットボタンが押下されるか、パラメータの変更をキャンセルするための選択肢に対するタッチ操作があると、キャンセル指示があったと判定する。キャンセル指示があった場合は図３のＳ３０１に進み、レビュー表示中に行われたパラメータ変更操作の内容を反映せず（破棄して）、ライブビュー表示を行って次の撮影待機状態へ遷移する。キャンセル指示がない場合はＳ４１４へ進む。
【００６１】
Ｓ４１４では、システム制御部１１４は、パラメータ変更の確定指示があったか否かを判定する。Ｓ４１２で表示した、パラメータの変更を確定するための選択肢が方向キーの操作によって選択されセットボタンが押下されるか、パラメータの変更を確定するための選択肢に対するタッチ操作があると、確定指示があったと判定する。確定指示があった場合はＳ４１５に進む。確定指示がない場合はＳ４０５へ進み、さらなるパラメータの変更操作を受け付ける。
【００６２】
Ｓ４１５では、システム制御部４１４は、レビュー表示中に行われたパラメータの変更を、次以降の撮影のための撮影設定として設定し、不揮発性メモリ１１７に記録する。さらに、レビュー画像として表示している、パラメータの変更を反映した現像済み画像を、画像ファイルとして記録媒体１２２に記録する。そして、メモリ１１５に保持されたＲＡＷデータは破棄し、図３のＳ３０１、Ｓ３０２へと進み、ライブビュー表示を行って次の撮影待機状態へ遷移する。
【００６３】
このようにして、撮影直後のレビュー表示中に、自分撮り撮影のためのパラメータの設定変更を受け付ける。受け付けた設定変更は、画像処理によって疑似的にレビュー画像上に再現される。従ってユーザーは、レビュー画像をみることで、所望の設定に近づいているか否かを判断することができる。そして、次の撮影ではレビュー画像を用いて確認したパラメータの設定が反映される。レビュー画像で確認したパラメータの変更も、次の撮影用の設定パラメータとして設定された場合には、次以降の撮影において画像処理以外の光学的な要素も含む設定値として設定される。例えば、「明るさ」については、レビュー画像では画像処理で再現していたが、次の撮影に反映する場合は露出値（シャッター速度、絞り値）の設定値として設定される。このようにして、ユーザーは、１回自分撮りを行ったあと、レビュー表示を見ながら、じっくりと自分の顔が写った画像を見ながら、所望の設定に変更することができる。レビュー中の操作は、撮影済みの自分が写っているレビュー画像を見ながら行うため、自分がレンズの前に居る必要はない。従ってモニター１０３を対面位置から通常位置に戻して操作することも可能である。モニター１０３を対面位置から通常位置に戻して操作する場合、撮影者が三脚などに固定されたカメラの背面に移動する、あるいは、撮影者は移動せずに手持ちのカメラの向きをレンズが撮影者を向く方向から、カメラ背面が撮影者を向く方向になるように持ち変える。通常位置では、デジタルカメラ１００の背面に備えられた各種操作部材を操作しやすくなるので、ライブビュー表示を対面位置で見ながらパラメータ調整するよりも、操作性良く自分撮りのパラメータを設定することができる。また、デジタルカメラ１００を手持ちして自分撮り撮影を行っている場合、デジタルカメラ１００のレンズ側が撮影者を向く方向で撮影者がデジタルカメラ１００を保持する（対面位置で使用する)場合よりも、デジタルカメラ１００の背面側が撮影者を向く向きで撮影者がデジタルカメラ１００を保持する（通常位置で使用する）方が、安定して保持することができる。従って、撮影設定の変更操作中に、デジタルカメラ１００を落下させてしまうなどの可能性を抑制することができる。
【００６４】
図７は、図３及び図４の撮影設定変更処理が実行される際の操作を説明するための工程図である。まず、撮影者が正面側に位置して撮影レンズ１０２を自分に向けて自分撮りを行う自分撮りモードにおいて、モニター１０３の表示面１０３ａも自分に向けると、ライブビュー表示される自分の画像を確認することができる（図７（Ａ））。この工程は、Ｓ３０２に該当する。その後、撮影者がシャッターボタン１０４を全押して撮影を行うと、ここでは自分撮りモードが設定されているため、撮影済み静止画像が表示面１０３ａに表示されるとともに、ガイダンス６０１及び自分撮りモード用のＵＩ画面が表示面１０３ａに表示される。これらの工程は、Ｓ３０７〜Ｓ３１１、Ｓ３１４〜Ｓ３１７に該当する。ガイダンス６０１の表示によって表示面１０３ａの向きを背面側に変更しても撮影設定の各項目のパラメータの変更を受け付けることを知った撮影者は、表示面１０３ａの向きを背面側（通常位置）に変更する（図７（Ｂ））。この工程は、Ｓ４０１の「ＹＥＳ」に該当する。
【００６５】
次いで、撮影者は表示面１０３ａの撮影済み静止画像（レビュー画像）を眺めつつ、操作部１０６等を操作して変更を所望する撮影設定を選択し、例えば、アイコン５０１を表示させて撮影設定「背景ぼかし」のパラメータを変更する（図７（Ｃ））。この工程は、Ｓ４０５の「ＹＥＳ」に該当する。その後、システム制御部１１４は、ＲＡＷデータへ変更後のパラメータに基づいてデジタル処理を施して人物以外がぼかされた現像画像を得、該現像画像を表示面１０３ａへプレビュー表示させる（図７（Ｄ））。これらの工程は、Ｓ４０７、Ｓ４１０〜Ｓ４１２に該当する。
【００６６】
図３及び図４の撮影設定変更処理では、撮影済み静止画像の自分撮りプレビュー表示時間が撮影済み静止画像の標準プレビュー表示時間よりも長い（Ｓ３１２、Ｓ３１６）。これにより、撮影者は、自分撮りモードであって表示面１０３ａの向きが正面側である場合、撮影済み静止画像をじっくりと眺めることができ、自分撮りを行いながら変更を所望する撮影設定のパラメータについてしっかりと吟味することができる。また、撮影者は、時間的余裕をもって慌てること無く表示面１０３ａの向きを正面側から背面側に変更することができ、結果として操作ミスを減らすことができる。また、図３及び図４の撮影設定変更処理では、自分撮りモードであって表示面１０３ａの向きが正面側である場合、表示面１０３ａに表示面１０３ａの向きを背面側に変更しても各撮影設定のパラメータの変更を受け付ける旨を表示する（Ｓ３１７）。これにより、撮影者は、撮影設定のパラメータの変更を行うために撮影レンズ１０２を自分に向け続ける必要がないことを理解することができる。その結果、ユーザーの利便性が向上する。さらに、図３及び図４の撮影設定変更処理では、撮影済み静止画像に人物の顔画像が含まれていない場合、自分撮りモード用のＵＩ画面が表示面１０３ａに表示されない（Ｓ３１５ＮｏからＳ３１２）。これにより、自分撮りに不必要な撮影設定のパラメータの変更が行われるのを防止することができる。また、図３及び図４の撮影設定変更処理では、変更後のパラメータに基づいてＲＡＷデータが現像されて現像画像が得られる。ＲＡＷデータでは撮影時から情報が削減されていないため、ＲＡＷデータを用いることにより、撮影時に設定した場合を疑似的に再現した効果が付された現像画像が得ることができる。これにより、撮影者は、撮影設定のパラメータを変更したときの効果をより正確に予測することができる。
【００６７】
上述したように、図３及び図４の撮影設定変更処理では、自分撮りモードが設定されていると、表示面１０３ａの向きが正面側から背面側に変更されても、撮影済み静止画像が表示面１０３ａに表示され続け、撮影設定のパラメータの変更を受け付ける。したがって、例えば、表示面１０３ａにタッチパネルが設けられず、撮影者が撮影レンズ１０２を自分に向けたままパラメータの変更を行うことが困難である場合であっても、表示面１０３ａの向きを背面側にすれば、撮影設定のパラメータを容易に変更できる。具体的には、撮影者が背面側へ移動し、表示面１０３ａの向きを背面側にすれば、撮影者は撮影済み静止画像を眺めながら、背面側に配置された操作部１０６等を操作して撮影設定のパラメータを変更することができる。すなわち、表示面１０３ａにタッチパネルが設けられないデジタルカメラ１００では、本発明を適用することにより、撮影者の利便性を大きく向上することができる。
【００６８】
以上、本発明をその好適な実施の形態に基づいて詳述してきたが、本発明はこれら特定の実施の形態に限られるものではなく、この発明の要旨を逸脱しない範囲の様々な形態も本発明に含まれる。さらに、上述した各実施の形態は本発明の一実施の形態を示すものにすぎず、各実施の形態を適宜組み合わせることも可能である。なお、システム制御部１１４が行うものとして説明した上述の各種制御は、１つのハードウェアが行ってもよいし、複数のハードウェアが処理を分担することで、装置全体の制御を行ってもよい。
【００６９】
また、上述した実施の形態においては、本発明をデジタルカメラに適用した場合を例にして説明したが、これはこの例に限定されずバリアングルモニタを装備した撮像装置であれば適用可能である。すなわち、本発明は、向きを変更可能なモニターを備えるパーソナルコンピュータやＰＤＡ、携帯電話端末や携帯型の画像ビューワ、ディスプレイを備えるプリンタ装置、デジタルフォトフレーム、音楽プレーヤー、ゲーム機等に適用可能である。さらに、本発明は、向きを変更可能なモニターを備える電子ブックリーダー、タブレット端末、スマートフォン、投影装置、ディスプレイを備える家電装置や車載装置等に適用可能である。
【００７０】
本発明は、上述の実施の形態の１以上の機能を実現するプログラムを、ネットワークや記憶媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００７１】
１００  デジタルカメラ
１０１  本体
１０２  撮影レンズ
１０３  モニター
１０３ａ  表示面
１０６  操作部
１０７  コントローラーホイール
１１４  システム制御部
５０１，５０２，５０３  アイコン
６０１  ガイダンス
【図１】
2019080140.tif 000003
【図２】
2019080140.tif 000004
【図３】
2019080140.tif 000005
【図４】
2019080140.tif 000006
【図５】
2019080140.tif 000007
【図６】
2019080140.tif 000008
【図７】
2019080140.tif 000009